(57)【要約】【課題】電圧遷移時の変調パルス波形の乱れを抑制するための技術を提供する。【解決手段】変調回路は、スロープ状に立ち上がる第１波形を生成する第１波形生成部と、波高値を規定する第２波形を生成する第２波形生成部と、スロープ状に立ち下がる第３波形を生成する第３波形生成部と、波形切替え部と、を備える。波形切替え部は、画像データから生成された制御信号に従って、第１波形と第３波形、又は、第１波形と第２波形と第３波形を組み合わせて、変調パルスの波形を生成する。【選択図】図１
2009251046.tif 000002
【特許請求の範囲】
【請求項１】
複数の表示素子が複数の列配線と複数の行配線でマトリクス配置された表示パネルと、
駆動対象の行配線に選択電位を出力する走査回路と、
画像データに基づき変調パルスを生成し、前記変調パルスを列配線に出力する変調回路と、を備え、
前記変調回路は、
スロープ状に立ち上がる第１波形を生成する第１波形生成部と、
波高値を規定する第２波形を生成する第２波形生成部と、
スロープ状に立ち下がる第３波形を生成する第３波形生成部と、
前記画像データから生成された制御信号に従って、前記第１波形と前記第３波形、又は、前記第１波形と前記第２波形と前記第３波形を組み合わせて、前記変調パルスの波形を生成する波形切替え部と、を備える
ことを特徴とする画像表示装置。
【請求項２】
前記第２波形生成部、前記第３波形生成部、および、前記波形切替え部が、前記列配線ごとに設けられており、
前記第１波形生成部の数が、前記列配線の数よりも少なく、
前記第１波形生成部から出力される第１波形が複数の波形切替え部に入力される
ことを特徴とする請求項１に記載の画像表示装置。
【請求項３】
前記第３波形生成部が、前記波形切替え部の出力を参照することにより、前記波形切替え部の出力の波高値から立ち下がる第３波形を生成する
ことを特徴とする請求項１または２に記載の画像表示装置。
【請求項４】
前記第２波形生成部が、複数種類の波高値を出力可能であることを特徴とする請求項１〜３のいずれかに記載の画像表示装置。
【請求項５】
前記変調回路が、電源から供給される電源電圧に基づいて、前記波形切替え部から出力される波形に応じた変調パルスを出力する出力段を備えており、
前記出力段は、前記変調パルスの波高値が前記電源電圧に等しい場合に前記電源電圧を直接出力するスイッチを備えることを特徴とする請求項１〜４のいずれかに記載の画像表示装置。
【請求項６】
前記第１波形の傾きが単調増加であることを特徴とする請求項１〜５のいずれかに記載の画像表示装置。
【請求項７】
前記第１波形の傾きが一定であることを特徴とする請求項６に記載の画像表示装置。
【請求項８】
前記第３波形の傾きが単調減少であることを特徴とする請求項１〜７のいずれかに記載の画像表示装置。
【請求項９】
前記第３波形の傾きが一定であることを特徴とする請求項８に記載の画像表示装置。
【請求項１０】
複数の表示素子が複数の列配線と複数の行配線でマトリクス配置された表示パネルを備える画像表示装置の制御方法であって、
駆動対象の行配線に選択電位を出力するステップと、
画像データに基づき変調パルスを生成し、前記変調パルスを列配線に出力するステップと、を備え、
前記変調パルスを出力するステップにおいて、
ｎを１以上の整数とし、ｔ２をｔ１より大きい値とし、ｈ２をｈ１より大きい値とし、ｋを１以上の整数とし、ｆ（ｋ）をｋが大きくなるにしたがって大きくなる値として、
（１）階調値ｎに対応する変調パルスを出力する場合に、該変調パルスの出力開始時点から時間ｔ１をかけてスロープ状に波高値をｈ１まで立ち上げ、該変調パルスの出力開始時点から時間ｔ１経過した時点から波高値を立ち下げる制御を行い、
（２）階調値ｎ＋ｋに対応する変調パルスを出力する場合、該変調パルスの出力開始時点から時間ｔ２をかけてスロープ状に波高値をｈ２まで立ち上げた後、該変調パルスの出力開始時点から時間ｔ２＋ｆ（ｋ）経過する時点まで波高値ｈ２を維持し、その後、波高値を立ち下げる制御を行う
ことを特徴とする画像表示装置の制御方法。
【請求項１１】
前記変調パルスを出力するステップにおいて、
ｔ３をｔ１よりも小さい値とし、ｈ３をｈ１よりも小さい値として、
（３）階調値ｎ−１に対応する変調パルスを出力する場合に、該変調パルスの出力開始時点から時間ｔ３をかけてスロープ状に波高値をｈ３まで立ち上げ、該変調パルスの出力開始時点から時間ｔ３経過した時点から波高値を立ち下げる制御を行う
ことを特徴とする請求項１０に記載の画像表示装置の制御方法。
【請求項１２】
前記変調パルスを出力するステップにおいて、前記変調パルスの波高値をスロープ状に立ち下げることを特徴とする請求項１０または１１に記載の画像表示装置の制御方法。
【発明の詳細な説明】
【技術分野】
【０００１】
本発明は、画像表示装置およびその制御方法に関する。
【背景技術】
【０００２】
電子放出素子を用いた表示装置（電子線表示装置）、液晶表示装置、プラズマ表示装置、有機ＥＬ表示装置などの平面型表示装置が知られている。この種の画像表示装置は、多数の表示素子がマトリクス状に配列された表示パネル（マトリクスパネル）と、表示素子を駆動するための駆動回路と、を備えている。一般に、駆動対象となる表示素子には、画像信号に応じて変調された変調信号（変調パルス）が供給される。変調方式としては、パルス幅変調、振幅変調などが知られている。
【０００３】
特許文献１は、パルス幅変調と振幅変調を組み合わせた変調方式を開示する。さらに特許文献１は、パルス波形の立ち上がりと立ち下がりを階段状にする変調回路を開示する。
【特許文献１】特開２００３−１７３１５９号公報
【発明の開示】
【発明が解決しようとする課題】
【０００４】
特許文献１のようにパルス波形の立ち上がりと立ち下がりを階段状にすることで、電圧遷移時の波形の乱れ（オーバーシュート、リンギングなど）をある程度は抑制することができる。
【０００５】
しかしながら、表示パネルの高精細化や駆動の高速化に伴い、電圧遷移時の波形の乱れをより一層抑制し、安定した駆動を実現することが望まれている。特に電子線表示装置のようなマトリクス駆動タイプの画像表示装置では、マトリクスパネルの容量が大きく、駆動電圧も大きいことから、パルス波形に含まれる高周波成分を可及的に小さくすることが望まれる。
【０００６】
本発明は上記実情に鑑みてなされたものであって、その目的とするところは、電圧遷移時の変調パルス波形の乱れを抑制するための技術を提供することにある。
【課題を解決するための手段】
【０００７】
上記目的を達成するために本発明は、以下の構成を採用する。
【０００８】
本発明の第１態様は、
複数の表示素子が複数の列配線と複数の行配線でマトリクス配置された表示パネルと、
駆動対象の行配線に選択電位を出力する走査回路と、
画像データに基づき変調パルスを生成し、前記変調パルスを列配線に出力する変調回路と、を備え、
前記変調回路は、
スロープ状に立ち上がる第１波形を生成する第１波形生成部と、
波高値を規定する第２波形を生成する第２波形生成部と、
スロープ状に立ち下がる第３波形を生成する第３波形生成部と、
前記画像データから生成された制御信号に従って、前記第１波形と前記第３波形、又は、前記第１波形と前記第２波形と前記第３波形を組み合わせて、前記変調パルスの波形を生成する波形切替え部と、を備える画像表示装置である。
【０００９】
本発明の第２態様は、
複数の表示素子が複数の列配線と複数の行配線でマトリクス配置された表示パネルを備える画像表示装置の制御方法であって、
駆動対象の行配線に選択電位を出力するステップと、
画像データに基づき変調パルスを生成し、前記変調パルスを列配線に出力するステップと、を備え、
前記変調パルスを出力するステップにおいて、
ｎを１以上の整数とし、ｔ２をｔ１より大きい値とし、ｈ２をｈ１より大きい値とし、ｋを１以上の整数とし、ｆ（ｋ）をｋが大きくなるにしたがって大きくなる値として、
（１）階調値ｎに対応する変調パルスを出力する場合に、該変調パルスの出力開始時点から時間ｔ１をかけてスロープ状に波高値をｈ１まで立ち上げ、該変調パルスの出力開始時点から時間ｔ１経過した時点から波高値を立ち下げる制御を行い、
（２）階調値ｎ＋ｋに対応する変調パルスを出力する場合、該変調パルスの出力開始時点から時間ｔ２をかけてスロープ状に波高値をｈ２まで立ち上げた後、該変調パルスの出力開始時点から時間ｔ２＋ｆ（ｋ）経過する時点まで波高値ｈ２を維持し、その後、波高値を立ち下げる制御を行う画像表示装置の制御方法である。
【発明の効果】
【００１０】
本発明によれば、電圧遷移時の変調パルス波形の乱れを抑制することが可能である。
【発明を実施するための最良の形態】
【００１１】
以下に図面を参照して、この発明の好適な実施の形態を例示的に詳しく説明する。
【００１２】
本発明は、複数の表示素子が複数の列配線と複数の行配線でマトリクス配置された表示パネル（マトリクスパネル）を有する画像表示装置に好ましく適用できる。この種の画像表示装置としては、たとえば電子線表示装置、プラズマ表示装置、有機ＥＬ表示装置などがある。特に電子線表示装置は、マトリクスパネルの配線容量や素子容量が大きく、素子に供給する駆動電圧も大きいことから、本発明が適用される好ましい形態である。電子線表示装置では、表示素子として、ＦＥ型電子放出素子、ＭＩＭ型電子放出素子、表面伝導型放出素子などの冷陰極素子（電子放出素子）が好ましく用いられる。
【００１３】
画像表示装置は、表示パネルを駆動するための駆動手段として、走査回路と変調回路を備えている。走査回路は駆動対象の１または複数の行配線に選択電位を出力する回路であり、変調回路は画像データに基づき変調パルスを生成し、その変調パルスを列配線に出力する回路である。本実施形態の変調回路は、スロープ状に立ち上がる第１波形、波高値を規定する第２波形、スロープ状に立ち下がる第３波形を適宜組み合わせて、変調パルスの波形（源波形）を生成する。変調回路は、画像データに基づき、波形制御のための制御信号を生成するロジック回路を有している。この制御信号によって、第１波形、第２波形、第３波形を切替えるタイミングや第２波形の波高値などを自由に制御することができる。
【００１４】
以下、本実施形態の変調回路で出力可能な変調パルスの例を挙げる。いずれの変調パルスも、立ち上がり及び立ち下がりが緩やかなスロープ状になっているため、電圧遷移時のオーバーシュート、アンダーシュート、リンギングなどの波形乱れを可及的に抑制できる。よって画像表示装置の階調性を向上することができる。
【００１５】
（変調パルスの例１）
第１波形に続いて第３波形を出力することで、三角形状のパルスを生成することができる。第１波形から第３波形への切替えのタイミングを遅くしていくことにより、大きいパルス、すなわち大きい階調値に対応するパルスを生成することができる。
【００１６】
（変調パルスの例２）
第１波形でパルスを波高値ｈまで立ち上げ、第２波形で波高値ｈを維持し、第３波形で波高値ｈから立ち下げることで、台形状のパルスを生成することができる。ここで、第２波形を出力する時間を長くしていくことにより、大きい階調値に対応するパルスを生成することができる。
【００１７】
（変調パルスの例３）
階調値に応じて三角形状のパルスと台形状のパルスとを使い分けることもできる。たとえば、階調値ｎ（ｎは１以上の整数）では下記（１）の制御を行い、階調値ｎ＋１からｎ＋ｋ（ｋは１以上の整数）までは下記（２）の制御を行う。
【００１８】
（１）階調値ｎに対応する変調パルスを出力する場合
変調パルスの出力開始時点から時間ｔ１をかけてスロープ状に波高値をｈ１まで立ち上げ、該変調パルスの出力開始時点から時間ｔ１経過した時点から波高値を立ち下げる。
【００１９】
（２）階調値ｎ＋ｋに対応する変調パルスを出力する場合
変調パルスの出力開始時点から時間ｔ２をかけてスロープ状に波高値をｈ２まで立ち上げた後、該変調パルスの出力開始時点から時間ｔ２＋ｆ（ｋ）経過する時点まで波高値ｈ２を維持し、その後、波高値を立ち下げる。
【００２０】
ここで、ｔ２＞ｔ１、ｈ２＞ｈ１である。またｆ（ｋ）はｋが大きくなるにしたがって大きくなる値である。ｆ（ｋ）は典型的にはｋの一次関数であるが、単調増加する関数であれば一次関数には限らない。
【００２１】
上記（２）の制御は、階調値にしたがってパルス幅（台形波形の平坦部分の長さ）を伸ばしていく制御である。なお、ｋ＝１の時にｆ（ｋ）が０である場合、（２）のパルスは三角形状のパルスとなる。上記（１）で得られる三角形状のパルスは、（２）でｋ＝１の時に得られるパルスよりも１階調分小さいパルスに相当する。このような制御により、台形状パルスのパルス幅変調で表現可能な輝度（つまりｋ＝１の時の輝度）よりも、さらに小さい輝度を実現でき、画像表示装置の階調性を向上できる。
【００２２】
また、以下の（３）の制御を行うことも好ましい。
（３）階調値ｎ−１に対応する変調パルスを出力する場合
変調パルスの出力開始時点から時間ｔ３をかけてスロープ状に波高値をｈ３まで立ち上げ、該変調パルスの出力開始時点から時間ｔ３経過した時点から波高値を立ち下げる。ここでｔ３＜ｔ１、ｈ３＜ｈ１である。
【００２３】
（３）の制御は、（１）のパルスよりもさらに小さい三角形状のパルスを生成するものである。これによりさらに小さい輝度を実現でき、画像表示装置の階調性を一層向上できる。なお同じようにして（３）のパルスよりもさらに小さい三角形状のパルスを生成してもよい。
【００２４】
図１および図２は、変調パルスの波形の一例を示している。この例では、階調値１〜ｎまで三角形状パルスを徐々に大きくしていき、階調値ｎ＋１以降は、台形状パルスのパルス幅を徐々に長くしていく。なお、パルス波形の中の黒い部分は、１階調前のパルスとの差分を表している。図１は変調パルスの波高値がＶ４レベルであり、図２は波高値がＶ３レベルである（Ｖ４＞Ｖ３）。図１の変調パルスのほうが高輝度表示が可能である。たとえば、高輝度が好ましい映像を表示する場合や、高輝度の表示モードが選択された場合には、図１の制御を採用すればよい。また低輝度が好ましい映像を表示する場合や、低輝度の表示モードが選択された場合には、図２の制御を採用すればよい。波高値をＶ１やＶ２にすればさらなる低輝度を実現できる。また後述するように、蛍光体の発光効率の違いを
補正するために、色毎に波高値を変えることも好ましい。
【００２５】
（変調パルスの例４）
図３は、変調パルス波形の他の例を示している。ａ、ｂ、ｃ、ｄは整数であり、１＜ａ＜ｂ＜ｃ＜ｄである。階調値１〜ａまでの制御は、変調パルスの例３で説明した（１）〜（３）の制御と同じである。階調値ａ＋１〜ｂまでは、階調値ａの台形状パルス（波高値Ｖ１）の上に、三角形状もしくは台形状のパルス（波高値Ｖ２）を積み重ねるような制御を行う。
【００２６】
たとえば階調値ａ＋１〜ａ＋３の波形の場合、第１波形でＶｘ（Ｖ１＜Ｖｘ≦Ｖ２）まで立ち上げ、第３波形でＶｘからＶ１まで立ち下げ、第２波形でＶ１を維持した後、第３波形でＶ１からＶ０まで立ち下げる。階調値ａ＋４の波形の場合、第１波形でＶ２まで立ち上げ、第２波形でＶ２を維持し、第３波形でＶ２からＶ１まで立ち下げ、第２波形でＶ１を維持し、第３波形でＶ１からＶ０まで立ち下げる。この場合、第２波形は複数種類の波高値（Ｖ１、Ｖ２）に制御される。階調値ｂ＋１〜ｃ、ｃ＋１〜ｄまでの制御も同じように行われる。
【００２７】
このような波形制御により、画像表示装置の階調性をさらに向上することが可能となる。
【００２８】
では、上述した変調パルスを出力するための画像表示装置の構成および制御方法について、具体的に説明する。
【００２９】
＜第１実施形態＞
（画像表示装置）
図４は、本発明の実施形態に係る画像表示装置の構成を示すブロック図である。画像表示装置は、概略、表示パネル（画像表示部）としてのマルチ電子源Ａ１と、マルチ電子源Ａ１を駆動する駆動装置と、を備えている。
【００３０】
駆動装置は、出力データ回路、変調回路Ａ２、走査回路Ａ３、変調電源回路Ａ７、および走査電源回路Ａ８で構成される。出力データ回路は、タイミング発生回路Ａ４、データ変換回路Ａ５、パラレル／シリアル変換回路Ａ６などを備えている。
【００３１】
マルチ電子源Ａ１は、複数の電子放出素子、複数の行配線、複数の列配線を備えており、行配線と列配線の交差部のそれぞれに電子放出素子が形成されている。行配線に選択電位を供給し、列配線に変調パルスを供給すると、選択電位と変調パルスの電位差である駆動電圧が電子放出素子に印加される。この駆動電圧の印加時間や電圧値を適宜制御することにより、所望の素子を所望の輝度で発光させることができる。
【００３２】
変調回路Ａ２は、マルチ電子源Ａ１の列配線に接続されている。この変調回路Ａ２は、出力データ回路から供給される画像データに基づいて変調信号（変調パルス）を生成し、その変調信号をマルチ電子源Ａ１の各列配線に出力する回路である。
【００３３】
変調電源回路Ａ７は、複数の電圧値を出力可能に構成された電源回路である。変調電源回路Ａ７は、変調回路Ａ２の回路動作用の電源であるとともに、変調回路Ａ２から出力される変調パルスの電圧値を規定するための電源である。変調電源回路Ａ７は、一般的に電圧源回路であるが、必ずしもこれに限定されるものではない。
【００３４】
走査回路Ａ３は、マルチ電子源Ａ１の行配線に接続されている。走査回路Ａ３は、全行配線の中から駆動対象とする一本または数本の行配線を選択し、選択する行配線を順次切
り替えるための回路である。一般的には、一行ずつ順次行選択する線順次走査が行われるが、これに限定されるものではない。走査回路Ａ３は、飛び越し走査（インタレース走査）、複数行を選択したり面状に選択したりすること（マルチライン走査）も可能である。走査回路Ａ３は、駆動対象の行配線（選択ライン）に対しては選択電位を供給し、その他の行配線（非選択ライン）に対しては非選択電位を供給する。
【００３５】
走査電源回路Ａ８は、複数の電圧値（選択電位、非選択電位）を出力する電源回路である。一般的には電圧源回路であるが、必ずしもこれに限定されるものではない。
【００３６】
タイミング発生回路Ａ４は、変調回路Ａ２、走査回路Ａ３、データ変換回路Ａ５およびパラレル／シリアル変換回路Ａ６のそれぞれ回路のタイミングを制御する制御データとしてのタイミング信号を発生する回路である。
【００３７】
データ変換回路Ａ５は、入力された輝度階調データを、変調回路Ａ２およびマルチ電子源Ａ１に適した画像データに変換する回路である。たとえば、データ変換回路Ａ５は、輝度階調データに対して、逆γ変換、輝度補正、色補正、解像度変換、最大値調整（リミッタ）などの信号処理を施すことができる。
【００３８】
パラレル／シリアル変換回路Ａ６は、データ変換回路５から出力された画像データをパラレルデータからシリアルデータに変換し、変調回路Ａ２に出力する回路である。
【００３９】
（変調回路）
図５は、変調回路Ａ２の回路構成を示すブロック図である。変調回路Ａ２は、シリアル／パラレル変換回路Ａ９、シフトレジスタＡ１０、データサンプリング回路Ａ１１、ロジック回路Ａ１２、出力回路Ａ１３、で構成されている。
【００４０】
第１実施形態における変調回路Ａ２の動作を説明する。
【００４１】
出力データ回路から出力された画像データは、シリアル／パラレル変換回路Ａ９でパラレルデータに変換される。パラレルデータに変換された画像データは、シフトレジスタＡ１０によって、順次データサンプリング回路Ａ１１に格納される。
【００４２】
マルチ電子源Ａ１の水平方向の画素数（以下、水平方向の画素数をＭとする）に相当する画像データが、データサンプリング回路Ａ１１に格納される。その後、データサンプリング回路Ａ１１に格納された、各画素用の画像データをもとに、ロジック回路Ａ１２が、出力回路Ａ１３の制御信号（制御シーケンス）を生成し、出力回路Ａ１３に送出する。
【００４３】
出力回路Ａ１３は、制御信号（制御シーケンス）に基づき、変調パルスを生成し、その変調パルスをマルチ電子源Ａ１の列配線に出力する。
【００４４】
（ロジック回路）
図６は、変調回路のロジック回路Ａ１２の構成を示すブロック図である。
【００４５】
ロジック回路Ａ１２は、Ｍ個のロジック回路Ａ１４を備えている。それぞれのロジック回路Ａ１４は、各画素に対応している。以下、１画素分のロジック回路Ａ１４を例に、具体的な構成、動作を説明する。
【００４６】
ロジック回路Ａ１４は、デコーダＡ１４ａとシーケンス発生回路Ａ１４ｂとを備えている。データサンプリング回路Ａ１１でサンプリングされた画像データは、デコーダＡ１４ａに入力される。デコーダＡ１４ａは、画像データと出力データ回路からのタイミング信
号とから、変調パルスの立ち上がり・立ち下がりタイミング用の制御データを生成する。その制御データは、シーケンス発生回路Ａ１４ｂに入力され、コンパレータ用データとして使用される。またデコーダＡ１４ａは、画像データとタイミング信号とから、変調パルスの出力レベルを規定するための制御信号Ｌｅｖｅｌを生成する。制御信号Ｌｅｖｅｌは出力回路Ａ１３に入力される。
【００４７】
シーケンス発生回路Ａ１４ｂは、タイミング信号として供給されるクロック信号に基づき、クロック数をカウントする。シーケンス発生回路Ａ１４ｂ内のコンパレータは、そのカウント値と、立ち上がり・立ち下がりタイミング用の制御データとを比較する。そして、コンパレータの値に基づき、変調パルスの立ち上がりタイミングを規定するための制御信号Ｔｒと、変調パルスの立ち下がりタイミングを規定するための制御信号Ｔｆと、が生成される。制御信号Ｔｒ、Ｔｆは出力回路Ａ１３に入力される。
【００４８】
（出力回路）
図７は、変調回路の出力回路Ａ１３の構成を示すブロック図である。
【００４９】
出力回路Ａ１３は、Ｍ個の出力回路Ａ１５を備えている。それぞれの出力回路Ａ１５は、各画素（各列配線）に対応している。以下、１画素分の出力回路Ａ１５を例に、具体的な構成、動作を説明する。
【００５０】
出力回路Ａ１５は、レベルシフト回路Ａ１６、参照波形発生回路Ａ１７、出力段Ａ１８から構成される。
【００５１】
ロジック回路Ａ１４から送出された制御信号Ｔｒ、Ｔｆ、Ｌｅｖｅｌが出力回路Ａ１５に入力される。レベルシフト回路Ａ１６が、制御信号Ｔｒ、Ｔｆ、Ｌｅｖｅｌの電圧をロジックレベルから出力回路Ａ１５の動作電圧レベルに変換する。レベルシフト回路Ａ１６から出力された制御信号Ｔｒ、Ｔｆ、Ｌｅｖｅｌは、参照波形発生回路Ａ１７に入力される。
【００５２】
図８は、参照波形発生回路Ａ１７の構成を示すブロック図である。参照波形発生回路Ａ１７は、立ち上がり参照波形生成部Ａ１７ａ、出力レベル生成部Ａ１７ｂ、立ち下がり参照波形生成部Ａ１７ｃ、波形切替え部Ａ１７ｄから構成される。
【００５３】
この実施形態では、立ち上がり参照波形生成部Ａ１７ａ、出力レベル生成部Ａ１７ｂ、立ち下がり参照波形生成部Ａ１７ｃが、それぞれ、本発明の第１波形生成部、第２波形生成部、第３波形生成部に対応する。また、波形切替え部Ａ１７ｄが、本発明の波形切替え部に対応する。
【００５４】
（立ち上がり波形の生成）
立ち上がり波形生成動作を説明する。
【００５５】
レベルシフトされた制御信号Ｔｒは、立ち上がり参照波形生成部Ａ１７ａに入力される。立ち上がり参照波形生成部Ａ１７ａは、制御信号Ｔｒが入力されると、所定の傾きを持つ立ち上がりスロープ波形を生成し、出力する。立ち上がりスロープ波形（第１波形）としては、スロープ状に緩やかに立ち上がる波形であればどのような波形を用いてもよい。好ましくは単調増加する波形、より好ましくは一定の傾きをもつ波形が好適である。階調制御が容易になるからである。
【００５６】
図９は、立ち上がりスロープ波形を生成するための回路構成例である。この回路は、スイッチＳ１、Ｓ２と、電流源Ｉｔｒと、容量Ｃｔｒから構成される。
【００５７】
制御信号Ｔｒがオン状態（Ｈｉｇｈ）の時、スイッチＳ１はオン状態、スイッチＳ２はオフ状態となる。スイッチＳ１がオン状態に変化する事で、電流源Ｉｔｒから一定の電流が流れ込み、電荷が容量Ｃｔｒに充電される。この動作により、出力電圧Ｔｒ＿ＯＵＴは、一定の傾きを持つ波形となる。
【００５８】
制御信号Ｔｒがオフ状態（Ｌｏｗ）に変化すると、スイッチＳ１はオフ状態、スイッチＳ２はオン状態となる。この動作により、容量Ｃｔｒに充電された電荷は放電され、出力電圧Ｔｒ＿ＯＵＴは０Ｖとなる。なお、本例では、スイッチＳ２側にグランドに向けての電流源を接続しても良い。
【００５９】
（出力レベルの生成）
出力レベル生成動作を説明する。
【００６０】
レベルシフトされた制御信号Ｌｅｖｅｌは、出力レベル生成部Ａ１７ｂに入力される。出力レベル生成部Ａ１７ｂは、制御信号Ｌｅｖｅｌをデジタル／アナログ変換して、一定電圧の電圧レベル信号ＬＥＶＥＬ＿ＯＵＴを出力する。この電圧レベル信号ＬＥＶＥＬ＿ＯＵＴが、変調パルスの波高値を規定するための波形（第２波形）である。
【００６１】
（立ち下がり波形の生成）
立ち下がり波形生成動作を説明する。
【００６２】
レベルシフトされた制御信号Ｔｆは、立ち下がり参照波形生成部Ａ１７ｃに入力される。立ち下がり参照波形生成部Ａ１７ｃは、波形切替え部Ａ１７ｄから出力される参照波形ＲＥＦ＿ＷＦの電圧を常に受けている。立ち下がり参照波形生成部Ａ１７ｃが参照波形ＲＥＦ＿ＷＦの電圧を常に受ける理由は、波形切替え部Ａ１７ｄから出力されている電圧レベルからの立ち下がり波形を生成するためである。すなわち、制御信号Ｔｆが入力されると、立ち下がり参照波形生成部Ａ１７ｃは、参照波形ＲＥＦ＿ＷＦの電圧値から、所定の傾きを持つ立ち下がりスロープ波形を生成し、出力電圧Ｔｆ＿ＯＵＴを出力する。
【００６３】
立ち下がりスロープ波形（第３波形）としては、スロープ状に緩やかに立ち下がる波形であればどのような波形を用いてもよい。好ましくは単調減少する波形、より好ましくは一定の傾きをもつ波形が好適である。階調制御が容易になるからである。
【００６４】
図１０は、立ち下がりスロープ波形を生成するための回路構成例である。この回路は、スイッチＳ３、Ｓ４と、電流源Ｉｔｆと、容量Ｃｔｆとから構成される。
【００６５】
制御信号Ｔｆがオン状態（Ｈｉｇｈ）の時、スイッチＳ３はオン状態、スイッチＳ４はオフ状態となる。このため参照波形ＲＥＦ＿ＷＦと同じ電圧が入力され、容量Ｃｔｆが充電される。
【００６６】
制御信号Ｔｆがオフ状態（Ｌｏｗ）の時、スイッチＳ３はオフ状態、スイッチＳ４はオン状態となる。この動作により、出力電圧Ｔｆ＿ＯＵＴは、立ち下がり開始直前の参照波形ＲＥＦ＿ＷＦの電圧から、一定の傾きを持つ立ち下がり波形となり、やがてグランドレベルとなる。
【００６７】
（出力波形の生成）
波形切替え動作、および出力波形動作を説明する。
【００６８】
波形切替え部Ａ１７ｄは、制御信号Ｔｒ、Ｔｆに基づき、立ち上がり参照波形生成部Ａ
１７ａ、出力レベル生成部Ａ１７ｂ、立ち下がり参照波形生成部Ａ１７ｃの参照波形（出力電圧）を切替えることで、参照波形ＲＥＦ＿ＷＦを生成し出力段Ａ１８に出力する。
【００６９】
具体的には、波形切替え部Ａ１７ｄは、
制御信号ＴｒがＨｉｇｈの時、立ち上がり参照波形生成部Ａ１７ａの出力電圧Ｔｒ＿ＯＵＴを選択し、
制御信号ＴｒがＬｏｗの時、出力レベル生成部Ａ１７ｂの出力電圧ＬＥＶＥＬ＿ＯＵＴを選択する。
【００７０】
また、波形切替え部Ａ１７ｄは、
制御信号ＴｆがＨｉｇｈの時、制御信号Ｔｒの論理を優先し、
制御信号ＴｆがＬｏｗの時、立ち下がり参照波形生成部Ａ１７ｃの出力電圧Ｔｒ＿ＯＵＴを選択する。
【００７１】
出力段Ａ１８は、波形切替え部Ａ１７ｄからの出力波形ＲＥＦ＿ＷＦを参照して、同形もしくは相似の波形をもつ変調パルスを生成する。変調パルスＯＵＴは、マルチ電子源Ａ１の列配線に出力される。出力段Ａ１８は、図８のようなオペアンプＡ１８ａを用いたユニティゲインバッファ構成が好適である。また、オペアンプの増幅段構成を出力段に採用してもよい。
【００７２】
（動作例１）
図１１および図１２を参照して、出力回路Ａ１５の動作タイミングの一例を説明する。図１１は出力回路Ａ１５の動作例１を示すタイミングチャートであり、図１２は動作例１の論理表である。動作例１は、最大電圧レベル（Ｖ４）の変調パルスを出力する場合の制御である。
【００７３】
制御信号Ｌｅｖｅｌが、出力レベル生成部Ａ１７ｂに入力され、電圧レベル信号ＬＥＶＥＬ＿ＯＵＴが出力される。この例ではＶ４レベルが出力される。
【００７４】
制御信号ＴｒがＨｉｇｈレベルの時、立ち上がり参照波形生成部Ａ１７ａから、一定の傾きを持つ立ち上がり波形Ｔｒ＿ＯＵＴが出力される。制御信号ＴｒがＬｏｗレベルの時、Ｔｒ＿ＯＵＴは０Ｖ（グランドレベル）となる。
【００７５】
制御信号ＴｆがＨｉｇｈレベルの時、立ち下がり参照波形生成部Ａ１７ｃはＲＥＦ＿ＷＦの電圧を取り込む。制御信号ＴｆがＬｏｗレベルになるまで、立ち下がり参照波形生成部Ａ１７ｃはＲＥＦ＿ＷＦの電圧を取り込み続け、その電圧をＴｆ＿ＯＵＴとして出力する。制御信号ＴｆがＬｏｗレベルになると、Ｔｆ＿ＯＵＴはＲＥＦ＿ＷＦから一定の傾きで立ち下がり、やがて、０Ｖとなる。
【００７６】
波形切替え部Ａ１７ｄは、制御信号ＴｒがＨｉｇｈレベルになると、立ち上がり参照波形生成部Ａ１７ａから出力された参照波形Ｔｒ＿ＯＵＴを選択し、出力する。図１１では、制御信号Ｔｒは、Ｔｒ＿ＯＵＴの電圧がＶ４レベルに達するまでの期間、Ｈｉｇｈとなっている。
【００７７】
波形切替え部Ａ１７ｄは、制御信号ＴｒがＬｏｗレベルになると、制御信号ＴｆがＨｉｇｈレベルの場合は、ＬＥＶＥＬ＿ＯＵＴを選択し、出力する。制御信号ＴｆがＬｏｗレベルになると、波形切替え部Ａ１７ｄは、Ｔｆ＿ＯＵＴを選択し、出力する。
【００７８】
上記動作により、出力波形用の参照波形ＲＥＦ＿ＷＦは、グランドレベルから一定の傾きを持って立ち上がり、指定された電圧レベルを出力後、一定の傾きを持ってグランドレ
ベルまで立ち下がる。
【００７９】
（動作例２）
図１３および図１４を参照して、出力回路Ａ１５の動作タイミングの一例を説明する。図１３は出力回路Ａ１５の動作例２を示すタイミングチャートであり、図１４は動作例２の論理表である。動作例２は、動作例１よりも低い出力レベル（Ｖ３）の変調パルスを出力する場合の制御である。
【００８０】
動作例１と異なる点は、制御信号Ｌｅｖｅｌの電圧がＶ３レベルである点と、制御信号ＴｒのＨｉｇｈ期間が短くなっている点である。制御信号ＴｒのＨｉｇｈ期間は、参照波形を出力電圧レベルＶ３まで立ち上げるのに必要な時間に合わせて決定される。このように出力電圧レベルに応じて制御信号ＴｒのＨｉｇｈ期間を制御することで、スムーズな波形を生成することができる。
【００８１】
出力電圧レベルを出力している期間ＰＷは、制御信号Ｔｒ、ＴｆのＨｉｇｈ期間を調整することで、制御可能である。これにより、参照波形ＲＥＦ＿ＷＦのパルス幅が制御できる。
【００８２】
なお、他の出力電圧レベルＶ１、Ｖ２の出力波形も同じようにして生成することができる。
【００８３】
（ＲＧＢ独立調整）
上述した動作例１、２は共にパルス幅変調であるが、互いの波高値が異なっている。波高値が異なるパルス幅変調は、たとえば、色調整、色毎の階調制御特性の調整などに好適に利用することができる。
【００８４】
本実施形態の画像表示装置は、マルチ電子源から放出される電子をＲＧＢ各色の蛍光体が塗布された面に衝突させることで、ＲＧＢの発光を得ている。しかし一般的に、これら蛍光体はＲＧＢ毎に発光効率が異なっている。このため、同一の放出電子量（電荷量）を各色の蛍光体に投入しても、得られる発光量は同一ではない。そこで、発光効率を考慮した駆動電圧値をＲＧＢ個別に設定し、その電圧レベルでパルス幅変調を行うことにより、ＲＧＢの発光量を一致させることができる。
【００８５】
図１５Ａ〜図１５Ｆを参照して具体例を説明する。
【００８６】
図１５Ａは、マルチ電子源に形成されている電子放出素子の駆動電圧Ｖｆ−放出電流Ｉｅの特性を示している。図１５Ｂは、ＲＧＢ各色の電子放出素子に印加した駆動波形を示している。ここでは、ＲＧＢ各色に同一の駆動電圧Ｖｄを与えている。図１５Ｃは、ＲＧＢ各色の、画像データに対する輝度特性を示している。この例では、蛍光体の発光効率がＲ＞Ｇ＞Ｂであり、ＲＧＢの各素子を同一の駆動電圧で駆動すると、同一の画像データを与えてもＲ＞Ｇ＞Ｂのように輝度が異なることが判る。
【００８７】
そこで、図１５Ｄのように、発光効率の高い蛍光体に対応する電子放出素子ほど駆動電圧が小さくなるように、各色の駆動電圧を設定する。図１５Ｄの例では、Ｒの駆動電圧ＶｒをＶｄよりも小さく、Ｇの駆動電圧ＶｇをＶｄと同じに、Ｂの駆動電圧ＶｂをＶｄよりも大きくする。これにより、図１５Ｅのように、ＲＧＢ毎で波高値（出力電圧レベル）の異なるパルス幅変調が行われる。このような変調パルスで駆動することにより、図１５Ｆに示すように、ＲＧＢの輝度特性を一致させることができる。
【００８８】
以上のように、ＲＧＢ毎に駆動電圧値を適宜選ぶことで、ＲＧＢ毎の階調特性を調整す
る事が可能となる。なおγ特性等の調整など、非線形の階調制御を実施する際には、適宜画像データを選択する事で、非線形性の階調制御が可能となる。
【００８９】
（動作例３）
図１６および図１７を参照して、出力回路Ａ１５の動作タイミングの一例を説明する。図１６は出力回路Ａ１５の動作例３を示すタイミングチャートであり、図１７は動作例３の論理表である。
【００９０】
動作例１、２と異なる点は、一定電圧の電圧レベル信号ＬＥＶＥＬ＿ＯＵＴを出力せずに、立ち上がり波形からすぐに立ち下がり波形に切り替わる点である。つまり、動作例１、２の変調パルスは台形波形であったのに対し、動作例３の変調パルスは三角波形である。三角波形はたとえば低階調の駆動に好適に利用できる。
【００９１】
図１６は、０ＶからＶ１レベルまでの間で三角波形を生成する例を示している。
【００９２】
図１６および図１７から判るように、制御信号Ｔｒ、Ｔｆの両方が同じタイミングでＨｉｇｈレベルからＬｏｗレベルに切り替わることで、三角波形の参照波形ＲＥＦ＿ＷＦが生成される。そして制御信号Ｔｒ、ＴｆのＨｉｇｈ期間を長くするほど、三角波形を大きくすることができる。図１６の例では、Ｈｉｇｈ期間の長さが（ａ）＞（ｂ）＞（ｃ）＞（ｄ）であり、（ｄ）の時に三角波形の波高値がＶ１レベルに達している。
【００９３】
図１６では、０ＶからＶ１レベルの間の三角波形の例を説明したが、他の電圧レベル間においても、制御信号ＴｒとＴｆを適宜設定する事で、三角波形を出力する事が可能である。
【００９４】
なお、本実施形態の回路構成では、それぞれの出力回路Ａ１５が、立ち上がり参照波形生成部Ａ１７ａ、出力レベル生成部Ａ１７ｂ、立ち下がり参照波形生成部Ａ１７ｃを備えている。よって、Ｍ画素分の出力回路Ａ１５のそれぞれが、変調パルスの立ち上がりタイミング、電圧レベルとその出力期間、および立ち下がりタイミングを、独立で制御可能である。言い換えれば、画素毎（列配線毎）に、変調パルスの立ち上がりや立ち下がりのタイミングを異ならせたり、電圧レベルを異ならせたりすることができる。
【００９５】
＜第２実施形態＞
図１８は、本発明の第２実施形態に係る参照波形発生回路Ａ１７の構成を示すブロック図である。
【００９６】
第１実施形態と異なる点は、複数の参照波形発生回路Ａ１７が共通の立ち上がり参照波形生成部Ａ１７ａを共有している点と、電圧レベル信号ＬＥＶＥＬ＿ＯＵＴを出力するタイミングを規定する制御信号ＬＥＶＥＬ＿ｃｏｎｔを有している点である。つまり、本実施形態では、出力レベル生成部Ａ１７ｂ、立ち下がり参照波形生成部Ａ１７ｃ、および、波形切替え部Ａ１７ｄは列配線毎に設けられているが、立ち上がり参照波形部Ａ１７ａの数は列配線の数よりも少ない。一般に、変調回路Ａ２は、１つまたは複数の集積回路（ＩＣチップ）で構成され、１つの集積回路内に複数の出力回路Ａ１５が設けられている。集積回路内の全ての出力回路Ａ１５が１つの立ち上がり参照波形部Ａ１７ａを共通に利用する構成を採用することで、チップサイズを縮小することができる。なお、第２実施形態の構成は、立ち上がり波形の開始タイミング・動作タイミングが常に一定である制御に適用可能である。
【００９７】
（動作例４）
図１９および図２０を参照して、第２実施形態の出力回路Ａ１５の動作タイミングの一
例を説明する。図１９は出力回路Ａ１５の動作例４を示すタイミングチャートであり、図２０は動作例４の論理表である。
【００９８】
制御信号Ｌｅｖｅｌが、出力レベル生成部Ａ１７ｂに入力され、電圧レベル信号ＬＥＶＥＬ＿ＯＵＴが出力される。この例ではＶ４レベルが出力されるが、Ｖ４以外のレベルの場合も同様の動作となる。
【００９９】
制御信号ＬＥＶＥＬ＿ｃｏｎｔは、電圧レベル信号ＬＥＶＥＬ＿ＯＵＴの電圧を出力するタイミングを規定する信号である。第１実施形態では、出力回路毎に制御信号ＴｒをＬｏｗにする事により信号ＬＥＶＥＬ＿ＯＵＴを選択する事が可能であった。しかし第２実施形態のように、立ち上がり参照波形生成部Ａ１７ａを共通化する場合は、立ち上がりスロープ波形から一定レベルの出力へと切り替えるタイミングが出力回路毎に異なる可能性があるため、ＬＥＶＥＬ＿ＯＵＴのような制御信号が必要となる。
【０１００】
制御信号ＴｒがＨｉｇｈレベルの時、立ち上がり参照波形生成部Ａ１７ａから、一定の傾きを持つ立ち上がり波形Ｔｒ＿ＯＵＴが出力される。制御信号ＴｒがＬｏｗレベルの時、Ｔｒ＿ＯＵＴは０Ｖ（グランドレベル）となる。
【０１０１】
制御信号ＴｆがＨｉｇｈレベルの時、立ち下がり参照波形生成部Ａ１７ｃはＲＥＦ＿ＷＦの電圧を取り込む。制御信号ＴｆがＬｏｗレベルになるまで、立ち下がり参照波形生成部Ａ１７ｃはＲＥＦ＿ＷＦの電圧を取り込み続け、その電圧をＴｆ＿ＯＵＴとして出力する。制御信号ＴｆがＬｏｗレベルになると、Ｔｆ＿ＯＵＴはＲＥＦ＿ＷＦから一定の傾きで立ち下がり、やがて、０Ｖとなる。
【０１０２】
制御信号Ｌｅｖｅｌは、出力レベル生成部Ａ１７ｂに入力され、一定レベルの電圧レベル信号ＬＥＶＥＬ＿ＯＵＴが出力される。
【０１０３】
制御信号ＬＥＶＥＬ＿ｃｏｎｔは波形切替え部Ａ１７ｄに入力される。波形切替え部Ａ１７ｄは、制御信号ＬＥＶＥＬ＿ｃｏｎｔがＨｉｇｈの場合、ＬＥＶＥＬ＿ＯＵＴを選択し、制御信号ＬＥＶＥＬ＿ｃｏｎｔがＬｏｗの場合、他の論理を優先する。
【０１０４】
以下に出力動作を説明する。波形切替え部Ａ１７ｄは、制御信号ＴｒがＨｉｇｈレベルになると、立ち上がり参照波形生成部Ａ１７ａから出力された参照波形Ｔｒ＿ＯＵＴを選択し、立ち上がり波形を出力する。制御信号ＬＥＶＥＬ＿ｃｏｎｔがＨｉｇｈレベルになると、波形切替え部Ａ１７ｄは、ＬＥＶＥＬ＿ＯＵＴを選択し、レベル電圧（ここではＶ４）を出力する。制御信号ＬＥＶＥＬ＿ｃｏｎｔがＬｏｗレベルになり、制御信号ＴｆがＨｉｇｈレベルになると、波形切替え部Ａ１７ｄは、Ｔｆ＿ＯＵＴを選択し、立ち下がり波形を出力する。
【０１０５】
なお、制御信号Ｔｒは、複数の出力回路のタイミング信号として用いられるため、少なくとも１つの出力回路が立ち上がり中の場合はＨｉｇｈレベルをとり、全ての出力回路が立ち上がった後でＬｏｗレベルとなる。
【０１０６】
本実施形態では、出力電圧レベルがＶ４の例を説明したが、他の電圧レベルの出力波形も同じようにして生成することができる。
【０１０７】
また本実施形態の回路構成では、それぞれの出力回路Ａ１５が出力レベル生成部Ａ１７ｂと立ち下がり参照波形生成部Ａ１７ｃとを備えている。よって、Ｍ画素分の出力回路Ａ１５のそれぞれが、電圧レベルとその出力期間、および立ち下がりタイミングを、独立で制御可能である。言い換えれば、画素毎（列配線毎）に、変調パルスの立ち下がりのタイ
ミングを異ならせたり、電圧レベルを異ならせたりすることができる。
【０１０８】
（動作例５）
前述の動作例１〜４では、ＬＥＶＥＬ＿ＯＵＴが一定であったが、１水平期間（１Ｈ）内に、制御信号Ｌｅｖｅｌの指示値を変更することで、ＬＥＶＥＬ＿ＯＵＴの電圧レベルを変更することもできる。
【０１０９】
図２１は、出力回路Ａ１５の動作例５を示すタイミングチャートであり、図２２は動作例５の論理表である。
【０１１０】
動作例４では制御信号ＬｅｖｅｌがＨｉｇｈレベルの期間はＬＥＶＥＬ＿ＯＵＴが常にＶ４レベルであったのに対し、動作例５では、ＬＥＶＥＬ＿ＯＵＴが途中でＶ４レベルからＶ３レベルに切り替わっている。これにより、１水平期間（１Ｈ）内で出力レベルを変更することが可能となる。
【０１１１】
なお、ここでは出力レベルがＶ４からＶ３に変化する例を説明したが、制御信号Ｌｅｖｅｌを制御することで出力レベルを任意に変更可能である。また１Ｈ内で出力レベルを２段階以上変更することも可能である。さらに、ここでは第２実施形態の回路構成で動作例５を実現したが、第１実施形態の回路構成を用いて同様の変調パルス波形を生成することも可能である。
【０１１２】
（出力段の変形例）
上記実施形態の出力段Ａ１８は、参照波形をアンプもしくはバッファで出力する構成を採用している。ここで、電源電圧と同じレベルの出力が必要な場合は、図２３に示すように、電源電圧出力用のスイッチＳＨ、ＳＬを設けるとよい。これにより電源電圧ＶＣＣ、ＶＳＳと同レベルの出力を安定して得ることができる。
【０１１３】
具体的には、立ち上がり部分はオペアンプＡ１８ａで立ち上げ、その後、スイッチＳＨをオンすることで電源電圧ＶＣＣを直接出力することができる。立ち下がり時は、スイッチＳＨをオフすると同時に、オペアンプＡ１８ａで電圧を下げきった後、スイッチＳＬをオンすることで電源電圧（基準電圧）ＶＳＳを直接出力することができる。
【図面の簡単な説明】
【０１１４】
【図１】図１は、変調パルスの波形の一例を示す図である。
【図２】図２は、変調パルスの波形の一例を示す図である。
【図３】図３は、変調パルスの波形の一例を示す図である。
【図４】図４は、画像表示装置の構成を示すブロック図である。
【図５】図５は、変調回路の回路構成を示すブロック図である。
【図６】図６は、変調回路のロジック回路の構成を示すブロック図である。
【図７】図７は、変調回路の出力回路の構成を示すブロック図である。
【図８】図８は、第１実施形態の参照波形発生回路の構成を示すブロック図である。
【図９】図９は、立ち上がりスロープ波形を生成するための回路構成例である。
【図１０】図１０は、立ち下がりスロープ波形を生成するための回路構成例である。
【図１１】図１１は、出力回路の動作例１を示すタイミングチャートである。
【図１２】図１２は、動作例１の論理表である。
【図１３】図１３は、出力回路の動作例２を示すタイミングチャートである。
【図１４】図１４は、動作例２の論理表である。
【図１５】図１５Ａおよび図１５Ｄは、電子放出素子の駆動電圧−放出電流特性であり、図１５Ｂおよび図１５Ｅは、ＲＧＢ各色の変調パルスの波形であり、図１５Ｃおよび図１５Ｆは、ＲＧＢ各色の画像データに対する輝度特性である。
【図１６】図１６は、出力回路の動作例３を示すタイミングチャートである。
【図１７】図１７は、動作例３の論理表である。
【図１８】図１８は、第２実施形態の参照波形発生回路の構成を示すブロック図である。
【図１９】図１９は、出力回路の動作例４を示すタイミングチャートである。
【図２０】図２０は、動作例４の論理表である。
【図２１】図２１は、出力回路の動作例５を示すタイミングチャートである。
【図２２】図２２は、動作例５の論理表である。
【図２３】図２３は、出力段の回路構成を示す図である。
【符号の説明】
【０１１５】
Ａ１  マルチ電子源（表示パネル）
Ａ２  変調回路
Ａ３  走査回路
Ａ１７  参照波形発生回路
Ａ１７ａ  立ち上がり参照波形生成部（第１波形生成部）
Ａ１７ｂ  出力レベル生成部（第２波形生成部）
Ａ１７ｃ  立ち下がり参照波形生成部（第３波形生成部）
Ａ１７ｄ  波形切替え部
Ａ１８  出力段
Ａ７  変調電源回路
Ａ８  走査電源回路
ＳＨ  スイッチ
ＳＬ  スイッチ
【図１】
2009251046.tif 000003
【図２】
2009251046.tif 000004
【図３】
2009251046.tif 000005
【図４】
2009251046.tif 000006
【図５】
2009251046.tif 000007
【図６】
2009251046.tif 000008
【図７】
2009251046.tif 000009
【図８】
2009251046.tif 000010
【図９】
2009251046.tif 000011
【図１０】
2009251046.tif 000012
【図１１】
2009251046.tif 000013
【図１２】
2009251046.tif 000014
【図１３】
2009251046.tif 000015
【図１４】
2009251046.tif 000016
【図１５】
2009251046.tif 000017
【図１６】
2009251046.tif 000018
【図１７】
2009251046.tif 000019
【図１８】
2009251046.tif 000020
【図１９】
2009251046.tif 000021
【図２０】
2009251046.tif 000022
【図２１】
2009251046.tif 000023
【図２２】
2009251046.tif 000024
【図２３】
2009251046.tif 000025